(57)【要約】      （修正有）【課題】柱の強度低下を抑制しつつ組み立てを容易にしたころ軸受を提供する。【解決手段】ころ軸受１は、内輪５と外輪３と保持器６Ａと複数のころ７を有し、保持器６Ａは軸方向に間隔をあけて互いに同心に配置された円環状である１対のリムと、両リム同士の間に掛け渡された複数本の柱とから成り、両リムの内側面と円周方向に隣り合う柱の円周方向側面とにより四周を囲まれた部分を、それぞれポケットとし、複数柱の内、少なくとも１本の柱の周面の軸方向中央を除いた部分に、軸方向のスリットを設ける。【選択図】図１
2012072889.tif 000002
【特許請求の範囲】
【請求項１】
ころ軸受において、内輪と外輪と保持器と複数のころを有し、前記保持器は軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１本の柱の周面の軸方向中央を除いた部分に、軸方向のスリットを設けたことを特徴とするころ軸受。
【請求項２】
ころ軸受において、前記スリットの周方向の幅が、前記ころの直径から前記ポケットの開口部の幅寸法を引いて２で割った値よりも小さいことを特徴とする請求項１のころ軸受。
【請求項３】
ころ軸受において、隣接する２本の柱に前記スリットを有することを特徴とする請求項１または２のころ軸受。
【請求項４】
ころ軸受において、前記スリットを有する周面が内周面であることを特徴とする請求項１〜３のころ軸受。
【請求項５】
ころ軸受において、前記スリットを有する周面が外周面であることを特徴とする請求項１〜３のころ軸受。
【発明の詳細な説明】
【技術分野】
【０００１】
本発明は、ころ軸受に関する。
【背景技術】
【０００２】
従来から各種回転機械装置の回転支持部に、転がり軸受が組み込まれている。大きな荷重が加わる回転支持部を構成する為の転がり軸受としては、転動体としてころ（例えば円筒ころ、円すいころ）を使用した保持器付ころ軸受が使用されている。図５は、この様な保持器付ころ軸受の１例として、例えばスクリューコンプレッサーのロータ支持部に組み込む、保持器付円筒ころ軸受１を示している。この保持器付円筒ころ軸受１は、内周面の軸方向中間部に円筒面状の外輪軌道２を有する外輪３と、外周面の軸方向中間部に円筒面状の内輪軌道４を有する内輪５と、これら外輪軌道２と内輪軌道４との間に軸受用保持器６により保持した状態で転動自在に設けられた、複数の円筒ころ７とから成る。
【０００３】
図６（Ａ）の上部の図は、図５の軸受用保持器をＡ方向から見た断面図である。上記軸受用保持器６は、図６に示す様に、所謂籠型保持器と呼ばれるもので、軸方向に間隔をあけて互いに同心に配置された、それぞれが円環状である１対のリム６１、６１と、これら両リム６１、６１
同士の間に掛け渡された複数本の柱６２、６２とから成る。そして、これら両リム６１、６１の内側面と円周方向に隣り合う柱６２ 、６２の円周方向側面とにより四周を囲まれた部分を、それぞれポケット６３、６３としている。ポケット６３，６３間の各柱６２の側面は、円筒ころ７の外径面に沿った円筒面状に形成し、円筒ころ７がポケット６３の開口から落ちないようにしてある。したがって、ポケット６３のころ入口となる開口部の幅寸法Ｃは、円筒ころ７の外径寸法Ｄよりも小さくなっている。組立に際して、円筒ころ７は、白矢印で示すように、軸受用保持器６の内径側からポケット６３内に押し込み、軸受用保持器６の樹脂の持つ弾性で柱６２を撓ませて円筒ころ７の進入を可能とする。
【０００４】
このように、円筒ころ７を押し込んでポケット６３内に入れるため、開口部の幅寸法Ｃと、ころ外径Ｄの寸法差が大きくなると、円筒ころ７が軸受用保持器６に入り難い。特に、ころ挿入工程の最後のころの挿入では、ポケット部の２つの柱６２、６２とも，両隣のポケット部のころと接触し、このため、片側ポケット部にころが挿入されておらず柱部が曲げ変形しやすいそれまでの挿入工程とは、接触形態が変わるとともにころが入り難くなる。なお、開口幅寸法Ｃを大きくすると、円筒ころ７は入り易くなる。しかし、軸受の組立時に円筒ころ７がポケット６３から落下し易くなる。特に、スクリューコンプレッサーのロータ支持部に、ころ軸受１を組み込む場合、外輪３と内輪５を別々に組み込む場合もあり、円筒ころ７の落下する状況が発生し易いので、開口幅寸法Ｃを大きくすることは好ましくない。
【０００５】
この部分の改善の先行技術としては、例えば特許文献１がある。これは、図７に示した様に、各ポケット６３間の柱６４の軸方向の中央付近に、断面を他の部分よりも小さくした幅狭部６４ａを設けることにより、柱６４を撓ませ易くしているものである。
【先行技術文献】
【特許文献】
【０００６】
【特許文献１】特開平８−２９６６５２号公報
【発明の概要】
【発明が解決しようとする課題】
【０００７】
しかしながら、各ポケット６３間の柱６４の軸方向の中央付近は、溶融樹脂が合流するウエルドに成り易く、前記ウエルドのある部分は強度が低いことが多いので、特許文献１に記載のころ軸受の様に、各ポケット６３間の柱６４の軸方向の中央付近に、断面を他の部分よりも小さくした幅狭部６４ａを設けると、柱６４の強度の面で改善の余地がある。
【０００８】
本発明は、前述した課題に鑑みてなされたものであり、その目的は、柱の強度低下を抑制しつつ組み立てを容易にした保持器を有するころ軸受を提供することにある。
【課題を解決するための手段】
【０００９】
前記課題を解決するため、本発明は次のような構成からなる。すなわち、本発明に係るころ軸受は、内輪と外輪と保持器と複数のころを有し、前記保持器は軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記複数柱の内、少なくとも１本の柱の周面の軸方向中央を除いた部分に、軸方向のスリットを設けたことを特徴とする。また、本発明に係るころ軸受は、前記スリットの周方向の幅が、前記ころの直径から前記ポケットの開口部の幅寸法を引いて２で割った値よりも小さいことを特徴とする。また、本発明に係るころ軸受は、隣接する２本の柱に前記スリットを有する。また、本発明に係るころ軸受は、前記スリットを有する周面が内周面である。また、本発明に係るころ軸受は、前記スリットを有する周面が外周面である。
【発明の効果】
【００１０】
本発明によれば、前記複数柱の内、少なくとも１本の柱において、前記柱の周面の軸方向中央を除いた部分に、軸方向のスリットを設けたので、柱の剛性が下がって撓み易くなり、当該柱に隣接するポケットに、ころを組み立て易くなる。
【図面の簡単な説明】
【００１１】
【図１】本発明に係るころ軸受の断面図
【図２】本発明のころ軸受の保持器の部分斜視図
【図３】本発明に係るころ軸受の保持器のころ押し込み過程を示す部分断面図
【図４】本発明に係るころ軸受の保持器のころ押し込み過程を示す部分平面図
【図５】従来のころ軸受の断面図
【図６】（Ａ）従来のころ軸受用保持器のころ押し込み過程を示す部分断面図、（Ｂ）は同保持器の部分平面図
【図７】従来のころ軸受の保持器の部分平面図
【図８】従来のころ軸受の保持器の斜視図
【発明を実施するための形態】
【００１２】
以下、本発明に係るころ軸受１の各実施形態について図面を参照して説明する。
＜実施形態＞
図１に示すように、本実施形態のころ軸受１は、外輪３と内輪５ところ７（円筒ころ）と保持器６Aを有する円筒ころ軸受である。前記保持器６Aは、例えば樹脂からなる。樹脂材料としては、６６ナイロンを用いることが出来るが、高温強度や耐熱性に優れる４６ナイロンを用いることが好ましい。また、例えば、スクリューコンプレッサーのロータ支持部の様に、耐摩耗性や耐油性や耐熱性が求められる用途においては、耐摩耗性や耐油性や耐熱性に優れた直鎖型ポリフェニレンサルファイドを用いることがより好ましい。また、本発明に係る保持器付きころ軸受用の保持器６Aは、例えば図２に示すように、軸方向に間隔をあけて互いに同心に配置された、それぞれが円環状である１対のリム６７、６７と、これら両リム同士の間に掛け渡された複数本の柱６５から成る。また、これら両リムの内側面と円周方向に隣り合う柱の円周方向側面とにより四周を囲まれた部分を、ポケット６３としている。また、前記柱６５の両ポケット側の側面には、各２箇所、計４箇所の凸部６６、６６、６６、６６が設けられている。前記凸部６６は、図示しないころの外径面に沿った円筒面状に形成され、ころがポケット６３の円周方向の開口から落ち難いようにしてある。したがって、図３に示すように、ポケット６３のころ入口となる開口部の幅寸法Ｃ１は、ころの外径寸法Ｄよりも小さくなっている。
【００１３】
また、図３と図４に示すように、柱６５、６５において、前記柱の周面の軸方向中央６５Ｂを除いた部分に、軸方向のスリット６５Ａ、６５Ａを設けたので、柱６５、６５の剛性が下がって撓み易くなり、当該柱６５、６５に隣接するポケットに、ころ７を組み立て易くなる。また、スリット６５Ａを設けることにより、ころ７挿入時の接触変形による応力が柱全体に分散されるので、強度が小さいウエルドが存在し易い柱の周面の軸方向中央部６５Ｂや、引張り応力または圧縮応力の大きい柱の付根部６５Ｃ、６５Ｃに掛かる応力を小さくすることが出来る。なお、本発明のころ軸受の保持器は、図８の従来の保持器と比較して、スリット６５Ａを有することのみが異なる。また、ウエルドの発生し易い前記軸方向中央部６５Ｂには、スリット６５Ａを設けていないので、柱の強度の低下を抑制することができる。また、好ましくは、リムの柱接続部６１Ａにスリット６５Ａを設けなければ、リムの強度の低下を抑制することができる。
【００１４】
また、前記スリットの周方向の幅Ｔが、前記ころの直径Ｄから前記ポケットの開口部の幅寸法Ｃ１を引いて２で割った値よりも小さいことが好ましい。この様な形状にした場合、ころ７を挿入する時、スリットが設けられている柱６５の径方向先端部が周方向に撓んでも、スリットによって分離されたもう片側の径方向先端部の支え、および、もう片側の径方向先端部が接触するころ７を挿入する時、柱６５が周方向に撓んでも、隣のころの支えにより柱６５の径方向先端部が局部的に撓み過ぎることを抑制出来る。また、前記幅Ｔを上記の範囲にすることにより、柱の強度の低下を抑制することが出来る。
【００１５】
また、本発明に係るころ軸受は、少なくとも１本の柱に前記スリットを有することによって、ころを組み込み易くすることが出来る。好ましくは、隣接する２本の柱に前記スリットを有することにより、隣接する２本の柱の間のポケットに、ころをより容易に組み込むことが出来る。特に，ころが入り難い最終ころの挿入工程において有効である。更に、全ての柱に前記スリットを有する場合、ころを組み込む順番に関係なく、ころを容易に組み込むことが出来る。また、本発明に係るころ軸受は、例えば図１の様に、外輪３に鍔３Ａを有し、ころを内側から組み込む場合は、内周面にスリットを有することが好ましい。また、本発明に係るころ軸受は、ころを外側から組み込む場合は、外周面にスリットを有することが好ましい。
【００１６】
以上の様に、本発明によれば、前記複数柱の内、少なくとも１本の柱において、前記柱の周面の軸方向中央を除いた部分に、軸方向のスリットを設けたので、柱の剛性が下がって撓み易くなり、当該柱に隣接するポケットに、ころを組み立て易くなる。
なお、上述の実施形態は本発明の一例を示したものであって、本発明はこれらの実施形態に限定されるものではない。本発明の主旨を外れない限り、他の実施形態にも適用出来る。
【符号の説明】
【００１７】
１      ころ軸受
２      外輪軌道
３      外輪
３Ａ    外輪鍔部
４      内輪軌道
５      内輪
６      保持器
６Ａ    保持器
７      ころ
６１    リム
６１Ａ  リムの柱接続部
６２    柱
６３    ポケット
６４    柱
６４ａ  幅狭部
６５    柱
６５Ａ  スリット
６５Ｂ  軸方向中央部
６５Ｃ  柱の付根部
６６    凸部
【図１】
2012072889.tif 000003
【図２】
2012072889.tif 000004
【図３】
2012072889.tif 000005
【図４】
2012072889.tif 000006
【図５】
2012072889.tif 000007
【図６】
2012072889.tif 000008
【図７】
2012072889.tif 000009
【図８】
2012072889.tif 000010